(57)【要約】【課題】  柔軟性を有する様々な形態の各種商品に互換性を有して販売を可能とする。【解決手段】  内容物を個装体内に挟み込んだ簡易包装の薄物商品を、底板に対して側板と背板調整自在に組み合わて構成した商品収納空間部に積層し、操作ダイヤルにより駆動される商品送出カム部材により商品取出開口へと送り出して販売する。【選択図】図３
2009199555.tif 000002
【特許請求の範囲】
【請求項１】
薄物商品を商品収納部に厚み方向に積層して収納し、商品送出機構により最下段の商品から商品取出開口へと送り出して販売する薄物商品自動販売機であり、
前後方向のカム開口部が形成され上記商品取出開口と略同一水平面を構成して固定設置された底板と、相対する対向間隔を調整自在にして上記底板に組み合わされる左右一対の側板と、上記底板に前後方向に調整自在に組み合わされる背板と、上記底板の前端部に高さ方向に調整自在に組み合わされその下端縁と上記底板の主面との間に上記商品取出開口と対向して上記商品を１個ずつ送り出す高さの商品送出開口を構成する送出開口調整板とにより前面部が開放された商品収納空間部を構成する商品収納部と、
上記底板に形成した上記カム開口部を介して外周部の一部が上記商品収納空間部内に突出可能とされ、上記商品収納部内の最下段商品を上記商品送出開口から上記商品取出開口へと送り出す商品送出カム部材を有する商品送出機構と、
上記商品送出機構の上記商品送出カム部材を駆動して上記最下段商品を送り出させる操作部材を有する商品取出操作機構ユニットとを備え、
上記商品収納部が、上記商品の外形仕様に応じて上記底板に対する上記側板と上記背板と上記送出開口調整板の固定位置を調整して上記商品収納空間部を構成することを特徴とする薄物商品自動販売機。
【請求項２】
上記商品収納部に対して、上記操作機構を含む硬貨選別ユニットを側方部位に組み合わせるとともに、上記硬貨選別ユニットにより選別され上記商品の送出操作が行われると硬貨を収納する金庫ユニットを下方部位に組み合わせ、
上記商品送出機構の上記送出カム部材が、一端側を上記操作機構に上記操作部材と連結されて軸受けされるとともに、他端側を上記金庫ユニットを組み合わせた状態で突き合わされる上記底板に一体に形成した軸受け半体板と上記金庫ユニットに一体に形成した軸受け半体板とにより構成される軸受け部に軸受けされる駆動軸に固定されることを特徴とする請求項１に記載の薄物商品自動販売機。
【請求項３】
上記商品が、シート状素材を少なくとも２つ折りして先端部が止められる個装体内に内容物を挟み込んでなる略紡錘形状の薄物商品であることを特徴とする請求項１又は請求項２に記載の薄物商品自動販売機。
【請求項４】
上記商品送出機構の上記商品送出カム部材が、外周部を、上記カム開口部を介して上記商品収納空間部内に進入させる大径部位と、上記商品収納空間部内から退出させる小径部位とからなる偏心カムから構成され、
待機状態において上記小径部位が上記カム開口部と対向されることを特徴とする請求項１乃至請求項３のいずれか１項に記載の薄物商品自動販売機。
【請求項５】
上記商品収納空間部内に積層状態で収納した多数個の上記商品上に載置されることにより、上記最下段商品を上記底板上に押し付ける重り部材を備えることを特徴とする請求項１乃至請求項４のいずれか１項に記載の薄物商品自動販売機。
【請求項６】
上記側板に、高さ方向の重り組付溝と、この重り組付溝の上端部位に屈折連通する仮置き溝部を相対して形成し、
上記重り部材が、その支軸を上記重り組付溝に嵌合して上記商品収納空間部内に高さ方向に移動自在に組み合わされるとともに、上方へと引き上げて上記支軸を上記重り組付溝から上記仮置き溝部へと移動させることにより引き上げ状態に仮保持されることを特徴とする請求項５に記載の薄物商品自動販売機。
【請求項７】
上記商品取出操作機構ユニットの上記操作部材が、硬貨の正規投入に基づいて上記商品送出カム部材を１回転させる操作が可能な状態とされることを特徴とする請求項１乃至請求項６のいずれか１項に記載の薄物商品自動販売機。
【発明の詳細な説明】
【技術分野】
【０００１】
本発明は、例えば薄厚の内容物を厚紙等のシート状素材を少なくとも２つ折りした個装体内に挟み込んでなる商品を商品収納部内に厚み方向に積層して収納し、顧客が所定の商品購入操作を行うことにより、前扉に設けた商品取出開口へと送り出して販売する薄物商品自動販売機に関する。
【背景技術】
【０００２】
各種提供されている自動販売機には、店頭等に多数台を縦横に並べて設置され、例えばプラスチック製のカプセル内に収納した商品を販売するいわゆるガチャ・ポンと称される自動販売機も提供されている（例えば、特許文献１を参照）。かかる小型自動販売機は、所定枚数の硬貨やメタル或いは各種トークン（本明細書においては硬貨と総称する。）を投入することにより商品取出用のハンドルやレバー操作が１回に限り可能な状態となり、その操作を行うことにより商品収納部内に収納された多数個のカプセルから１個のカプセルがランダムに選択されて取出口へと送り出されるようにする。
【０００３】
小型自動販売機は、一般に小型であるとともに電源が不要であることからランニングコストがほとんどかからず、同一形状でかつ機械的剛性の大きいカプセルを用いるとともにカプセルをランダムに選択して送り出すことから構造が簡易であるといった特徴がある。したがって、かかる小型自動販売機は、もっぱら比較的低額で小さな子供向け商品を販売対象とし、思わぬ商品が出てくるゲーム性もあって好評を博している。
【０００４】
【特許文献１】特開平８−２１２４３０号公報
【発明の開示】
【発明が解決しようとする課題】
【０００５】
ところで、小型自動販売機においては、一対の半球形半体からなり商品販売後には廃棄されるカプセルが用いられ、一方カプセル半体内に商品を充填した後に他方カプセル半体を組み合わせて一体化する作業等によるコストアップの問題もある。小型自動販売機においては、カプセル型商品が嵩張ることから製造工程から商品収納部内に収納するまでの取り扱いが面倒であるとともに、商品を取り出して捨てられたカプセルの回収処理も面倒であり、踏み潰される等して壊されたカプセルの破片も鋭く危険であることから頻繁に清掃等を行う必要があった。
【０００６】
また、小型自動販売機においては、上述した特徴を踏襲しながら、カプセルを用いることなく同様の販売形態により様々な商品の販売を可能とする要求も大きい。小型自動販売機においては、例えば小さなぬいぐるみや成形品等の柔軟性や凹凸のある各種内容物をビニール袋に装填した商品、キャラクタ衣装或いは腰の弱い各種カード類等への商品展開も図られる。しかしながら、従来の小型自動販売機においては、その構成からかかる商品をそのまま販売する形態での展開を図ることが困難であった。
【０００７】
また、従来の小型自動販売機においては、大きさの基準となるカプセルを用いないことから、商品の大きさも様々となる。従来の小型自動販売機においては、商品収納部が、商品の形態に応じて仕様を異にして構成されなければならなかった。
【０００８】
したがって、本発明は、上述した従来の小型自動販売機の特徴を踏襲し、柔軟性や凹凸等を有する様々な形態の各薄物種商品について互換性を有して販売を可能とする薄物商品自動販売機を提供することを目的とする。
【課題を解決するための手段】
【０００９】
上述した目的を達成する本発明にかかる薄物商品自動販売機は、薄物商品を商品収納部に厚み方向に積層して収納し、商品送出機構により最下段の商品から商品取出開口へと送り出して販売する。薄物商品自動販売機は、商品収納部と、商品送出機構と、商品取出操作機構ユニットとを備える。薄物商品自動販売機は、商品収納部が、前後方向のカム開口部が形成され商品取出開口と略同一水平面を構成して固定設置された底板と、相対する対向間隔を調整自在にして底板に組み合わされる左右一対の側板と、底板に前後方向に調整自在に組み合わされる背板と、底板の前端部に高さ方向に調整自在に組み合わされその下端縁と底板の主面との間に商品取出開口と対向して商品を１個ずつ送り出す高さの商品送出開口を構成する送出開口調整板とを備え、これら部材を組み合わせて前面部が開放された商品収納空間部を構成する。薄物商品自動販売機は、商品送出機構が、商品収納部の底板に形成したカム開口部を介して外周部の一部を商品収納空間部内に突出可能とされ、商品収納部内の最下段商品を商品送出開口から商品取出開口へと送り出す商品送出カム部材を有する。薄物商品自動販売機は、商品取出操作機構ユニットが、商品送出機構の商品送出カム部材を駆動して最下段商品を送り出させる操作部材を有する。
【００１０】
薄物商品自動販売機は、例えば比較的薄厚であり柔軟性や凹凸のある内容物等を厚紙等のシート状素材を２つ折りして構成した個装体内に挟み込んでなる簡易包装の薄物商品を販売する。薄物商品自動販売機は、底板に対して少なくとも一方の側板と背板が、薄物商品の幅と奥行き寸法に合わせてそれぞれの組み合わせ位置を調整されて商品収納空間部を構成する。薄物商品自動販売機は、薄物商品の厚みに合わせて底板に対して送出開口調整板が、商品送出開口の高さを１個分の厚みよりも大きくかつ２個分の厚みよりも小さくする位置に調整して固定される。薄物商品自動販売機は、正規の硬貨投入が行われると商品取出操作機構ユニットにおいて操作部材のロック状態が解除され、操作部材による商品取出操作が行われるようにする。薄物商品自動販売機は、操作部材の商品取出操作により、送出カム部材が駆動されてカム開口部を介して商品収納空間部内に突出した外周部が最下段商品を商品送出開口へと押し出す。薄物商品自動販売機は、最下段商品がその先端側を商品送出開口を介して商品取出開口から外方に突出するまで送り出され、顧客により当該商品の取り出しが行われる。薄物商品自動販売機は、商品の取り出しにより操作部材が再ロック状態に移行する。
【発明の効果】
【００１１】
本発明にかかる薄物商品自動販売機によれば、商品収納空間部の大きさが調整自在であることから、大きさを異にする様々な形態の薄物商品に対しても互換性が図られる。
【発明を実施するための最良の形態】
【００１２】
以下、本発明の実施の形態として図面に示した薄物商品自動販売機（以下、自動販売機と略称する。）１について、詳細に説明する。自動販売機１は、図１乃至図３に示すようにやや縦長で前面部を開放した箱形の筐体２と、この筐体２に詳細を省略するヒンジ機構４を介して組み合わされて前面部を開閉する前扉３とから外装体を構成する。自動販売機１は、図２に示すように仕切り板２Ａを介して区割りされたヒンジ機構４と対向する側の領域に硬貨選別ユニット５と商品取出操作機構ユニット６を高さ方向に並べて組み合わせるとともに、ヒンジ機構４側の領域に商品収納部７と商品送出機構８と金庫ユニット９を高さ方向に並べて組み合わせて構成する。
【００１３】
自動販売機１は、図１及び図３に示すように、前扉３の前面に硬貨選別ユニット５と商品取出操作機構ユニット６と対向して、料金表示部１０、硬貨投入口１１、硬貨返却操作レバー１２、錠前１３、商品取出操作機構ユニット６の商品取出操作ダイヤル（操作ダイヤル）１４及び硬貨返却口１５が高さ方向に並んで配置される。前扉３には、商品収納部７と対向して商品取出口１６が設けられている。自動販売機１は、硬貨投入口１１から料金表示部１０に表示された硬貨を投入すると操作ダイヤル１４のロック状態が解除され、この操作ダイヤル１４を回転操作することにより商品送出機構８によって商品収納部７から商品１７が商品取出口１６に送り出される。
【００１４】
自動販売機１は、硬貨投入口１１から例えば２枚の１００円硬貨が投入されると、図４に示す薄物の商品１７を１個ずつ販売する。商品１７は、薄厚で柔軟性や凹凸のある複雑な形状等の各種内容物（実際の商品）１８を、例えば厚紙等からなるシート状素材を２つ折りして構成した個装体１９内に挟み込んで簡易包装してなり、全体が薄い略紡錘形状を呈している。商品１７は、個装体１９が、厚紙のままであってもよく、またその表裏主面に適宜の装飾図案或いは内容物１８の内容説明や取扱い説明等を印刷したものであってもよい。
【００１５】
商品１７は、従来のカプセルと比較して個装体１９が極めて廉価であり、この個装体１９を展開した状態で内容物１８を置いて中央部から２つ折りして突き合わせ部位をシール２０で止める簡易な作業により効率よく包装が行われる。商品１７は、低コストの個装体１９を用いるとともに、包装作業の効率化によりコスト低減が図られる。商品１７は、販売後に小さな子供でもシール２０を剥がして内容物１８の取り出しが可能であり、不要な個装体１９がそのまま捨てられても従来のカプセルのように壊されることにより鋭い破片が飛び散るといった危険も無い。商品１７は、全体が薄型であることから運搬や保管等に際して嵩張らず取扱いが容易である。
【００１６】
商品１７は、様々な内容物１８として、厚みが多少異なるものであってもよいが、規定の個装体１９を用いて包装することが可能なものとされ、幅寸法や奥行き寸法がほぼ同一とされる。商品１７は、内容物１８の厚みにより、厚み寸法が多少異なるものであってもよいが、商品取出口１６の開口寸法よりも小さいことが条件となる。自動販売機１は、後述するように商品収納部７が内部空間（商品収納空間部３１）の大きさを簡易な操作により変えることが可能とされることにより、幅寸法や奥行き寸法或いは厚み寸法を異にする商品１７について互換性を有して販売することが可能である。
【００１７】
なお、商品１７は、個装体１９内に内容物１８とともに取扱説明書等を収納するようにしてもよい。勿論、商品１７は、かかる内容物１８や個装体１９に限定されず、内容物として例えば折れ曲がりや破損が生じやすい各種カード、従来のカプセル型自動販売機でも販売されているような各種小物類等であってもよい。商品１７は、個装体１９も、例えば簡易な紙箱や２つ折りした後に両側の襠を折り込んだもの等を用いることが可能であり、ある程度の薄物として構成されればよい。
【００１８】
自動販売機１は、図３に示すように料金表示部１０に対向して前扉３の内面に料金表示ドラム２１を取り付け、この料金表示ドラム２１を回動することにより料金表示部１０に表示する商品１７の金額を変更することが可能である。自動販売機１は、前扉３の内面に料金表示部１０に隣り合ってドラム取付片２２を形成し、このドラム取付片２２に対して料金表示ドラム２１を取り付ける。料金表示ドラム２１には、詳細を省略するがその外周部に料金表示部１０の開口寸法よりもやや大きな形状とされてそれぞれに異なる金額が表示された複数の表示部が一体に形成されている。料金表示ドラム２１は、所定金額を表示した表示部を料金表示部１０と対向させることにより、商品１７の金額が表示されるようにする。
【００１９】
自動販売機１は、図３に示すように硬貨投入口１１に対向して硬貨選別ユニット５に対して投入された硬貨を落とし込むスロット部材２３が筐体２に取り付けられる。硬貨選別ユニット５は、従来から汎用品として提供されている無電源型の１００円硬貨選別ユニットを用いることからその詳細を省略するが、スロット部材２３から落とし込まれた硬貨が落下する過程で、外径、厚さ、重さ及び材質（磁気性）の選別要素により投入硬貨が正規硬貨か疑似硬貨であるかを判別する。硬貨選別ユニット５は、いずれか１つの選別要素でも不合格判定を行うと当該硬貨を選別軌道から排除して硬貨返却口１５から返却されるようにする。硬貨選別ユニット５は、正規硬貨を商品取出操作機構ユニット６へと導く。
【００２０】
自動販売機１は、錠前１３に取り付けたロックレバー１３Ａが前扉３の内面側において筐体２の側面に取り付けたロックブラケット１３Ｂと対向している。自動販売機１は、筐体２に対して前扉３を閉じた状態で錠前１３に差し込んだキーを回すことによりロックレバー１３Ａとロックブラケット１３Ｂとの係合・解除を行って前扉３の施錠或いは解錠を行う。
【００２１】
自動販売機１は、前扉３の内面に図３に示すように商品取出操作機構ユニット６に対応位置して筒状ガイド部３Ａを一体に形成し、筐体２に対して前扉３を閉じた状態でこの筒状ガイド部３Ａに嵌合された操作ダイヤル１４が前面に露出する。商品取出操作機構ユニット６には、上述した硬貨選別ユニット５により選別された正規硬貨が供給され、詳細を省略するが硬貨蓄積部において２枚の硬貨を蓄積する。商品取出操作機構ユニット６は、２枚以上の正規硬貨が供給された場合に、余剰の硬貨を返却通路を介して硬貨返却口１５へと排出する。
【００２２】
自動販売機１は、操作ダイヤル１４を回動操作することにより、商品取出操作機構ユニット６が商品送出機構８を駆動して商品収納部７から商品取出口１６への商品１７の送り出し動作が行われるようにする。自動販売機１は、前扉３の内面に図３に示すように商品送出機構８に対応位置して商品取出口部３Ｂを一体に形成する。商品取出口部３Ｂは、横長矩形の筒状部位からなり、後述する商品収納部７と前扉３の内面との間に介在して商品１７を支えて商品取出口１６内へと導くようにして送り出す。
【００２３】
なお、前扉３には、図３に示すようにその内面に商品押さえリブ部３Ｃ、金庫ユニット押さえリブ部３Ｄ、返却レバーガイド部３Ｅ及び返却口ガイド部３Ｆ等の部位が形成されている。商品押さえリブ部３Ｃは、商品取出口部３Ｂの上部から高さ方向に形成された立壁からなり、筐体２に対して前扉３を閉じた状態で商品収納部７の前方部位に延在して収納された商品１７を保持する。金庫ユニット押さえリブ部３Ｄは、筐体２に対して前扉３を閉じた状態で金庫ユニット９の前面に突き当たり、金庫ユニット９を保持するとともにこの金庫ユニット９が正しい位置にセットされているかを確認可能とする。返却レバーガイド部３Ｅは、高さ方向のガイド口が形成され、このガイド口を介して硬貨返却操作レバー１２を外方へと臨ませる。返却口ガイド部３Ｆは、硬貨返却口１５を有して筐体２に対して前扉３を閉じた状態で硬貨選別ユニット５の返却軌道５Ａと連通する。
【００２４】
商品取出操作機構ユニット６は、詳細を省略するが操作ダイヤル１４が待機状態では回転操作ができないようにロック状態に保持しており、顧客により硬貨投入口１１から硬貨が投入されて硬貨選別ユニット５を経て硬貨蓄積部に２枚の正規硬貨が蓄積された状態でこの正規硬貨をキーとして操作ダイヤル１４のロック状態が解除されるようにする。商品取出操作機構ユニット６は、詳細を省略するが、商品１７の価格に応じて硬貨蓄積部において蓄積する硬貨の枚数を調整することが可能とされる。なお、商品取出操作機構ユニット６は、顧客により商品１７の購入が行われずに硬貨返却操作レバー１２が操作されると、硬貨蓄積部に蓄積した硬貨を返却通路を介して硬貨返却口１５へと排出する。
【００２５】
商品取出操作機構ユニット６は、顧客がロック状態が解除された操作ダイヤル１４を回動操作することにより、商品送出機構８を駆動して商品収納部７から商品取出口１６への商品１７の送り出し動作が行われるようにする。商品取出操作機構ユニット６は、詳細を省略するが操作ダイヤル１４の支軸に傘歯歯車機構等からなる回転直交伝達機構が設けられており、この回転直交伝達機構を介して商品送出機構８に操作ダイヤル１４の回転を伝達して商品１７の送り出し動作が行われるようにする。
【００２６】
商品送出機構８は、上述したように商品収納部７と金庫ユニット９との間に配置された機構であり、図２に示すように駆動軸２４と、この駆動軸２４に設けられた商品送出カム部材２５を備える。商品送出機構８は、駆動軸２４が、詳細を後述する商品収納部７の下方に配置され、一端側が商品取出操作機構ユニット６に形成した図示しない軸受けにより回転自在に支持されるとともに、この一端側に上述した回転直交伝達機構が設けられて操作ダイヤル１４により回転される。駆動軸２４は、図８に示すように他端側が商品収納部７側に設けられた後方軸受けブラケット片２６Ａと金庫ユニット９側に設けた前方軸受けブラケット片２６Ｂとが共同して構成する軸受け部２６に回転自在に支持される。
【００２７】
軸受け部２６は、後方軸受けブラケット片２６Ａが、商品収納部７の後述する底板２７の底面に一体に形成された部位からなり、その前方縁から半円形の軸孔２６Ａ１が形成される。軸受け部２６は、前方軸受けブラケット片２６Ｂが、後方軸受けブラケット片２６Ａに対応して金庫ユニット９の側板から一体に立ち上がり形成された部位からなり、その後方縁から半円形の軸孔２６Ｂ１が形成される。軸受け部２６は、駆動軸２４を後方軸受けブラケット片２６Ａの軸孔２６Ａ１に嵌合した状態で、筐体２内の所定位置に金庫ユニット９をセットすることにより、後方軸受けブラケット片２６Ａに対して前方軸受けブラケット片２６Ｂが突き合わされて軸孔が構成される。したがって、軸受け部２６は、金庫ユニット９が所定位置に正しくセットされた状態においてのみ、駆動軸２４の回転動作、換言すれば商品送出機構８を動作可能な状態とする。
【００２８】
商品送出機構８は、駆動軸２４の商品収納部７と対向する位置に商品送出カム部材２５を回転方向に固定して設ける。商品送出カム部材２５は、商品収納部７の底板２７に形成される後述するカム開口部３２に対向位置して設けられ、図６及び図７に示すように外周部が駆動軸２４からの距離を異にされた略扇形の偏心カム円板からなる。商品送出カム部材２５は、図７に示すように待機状態において小径部位２５Ｂがカム開口部３２と対向するように位置決めされ、商品収納空間部３１から退出した位置に保持される。商品送出カム部材２５は、顧客が操作ダイヤル１４を回転操作すると、図６矢印で示すように反時計方向に回転して大径部位２５Ａ側がある範囲でカム開口部３２を介して商品収納部７内に構成される商品収納空間部３１に突出する。商品送出カム部材２５は、商品収納空間部３１内に進入する大径部位２５Ａが、その外周部を最下段に積層された商品（以下、最下段商品と称する。）１７Ａと圧接して前方へと移動させる送り出し動作を行い、この最下段商品１７Ａのみを商品取出口１６まで送り出した状態で最下段商品１７Ａから離れて待機状態へと復帰する。
【００２９】
商品送出カム部材２５は、適宜の合成樹脂材により形成されるが、その外周面の少なくとも大径部位２５Ａを高摩擦特性面に形成して商品１７Ａの送り出しが確実に行われるように構成される。なお、商品送出カム部材２５は、例えば成形時に外周面を粗面或いは軸方向の凹凸を形成したり、高摩擦特性シート材を接合する等により高摩擦特性面を構成する。商品送出カム部材２５は、全周に亘って高摩擦特性面に形成してもよいことは勿論である。
【００３０】
商品収納部７は、図２及び図３に示すように、底板２７と、左右一対の側板２８Ｌ、２８Ｒ（以下、代表して説明する場合には側板２８と総称する。）と、背板２９と、送出開口調整板３０とを組み合わせて内部に前方側を開放した商品収納空間部３１を構成する。商品収納部７は、後述するように底板２７に対して左右の側板２８Ｌ、２８Ｒが対向間隔を調整自在に組み合わされ、背板２９が奥行き方向に調整自在に組み合わされ、送出開口調整板３０が高さ位置を調整自在に組み合わされる。
【００３１】
商品収納部７は、上述した各部材の組み合わせ位置を調整することにより、内部に構成する商品収納空間部３１が商品１７の外形寸法に応じてその大きさを調整されるようにするとともに商品取出口１６から送り出されるようにする。商品収納部７は、多数個の商品１７を商品収納空間部３１内で、側板２８と背板２９により外周部を保持して底板２７上に厚み方向に積層して収納する。
【００３２】
底板２７は、図２及び図５に示すように左右に立上り壁２７Ｌ、２７Ｒが一体に立設されたチャンネル状に形成され、仕切り板２Ａと側板と背板とにより３方を固定されて筐体２に水平状態に固定される。底板２７には、幅方向の中央部に位置して奥行き方向のカム開口部３２が形成され、上述したように商品送出し操作が行われることにより商品送出カム部材２５の外周部の一部を商品収納空間部３１内に突出させる。底板２７は、詳細を省略するが図６及び図７に示すようにカム開口部３２を形成する部位に、このカム開口部３２に沿って奥行き方向に主面からやや段落ちした凹部３２Ａを形成する。
【００３３】
底板２７には、カム開口部３２を挟んだ両側位置に、筐体２側の天井板の内面に設けた仕切りリブ３３Ｌ、３３Ｒ（以下、天井仕切りリブ３３と総称する。）にそれぞれ相対する仕切りリブ３４Ｌ、３４Ｒ（以下、底板仕切りリブ３４と総称する。）が設けられている。これら天井仕切りリブ３３と底板仕切りリブ３４は、それぞれ上下で対をなしかつそれぞれが互いに平行な複数個のリブからなり、各リブ間において上下で対をなす複数の奥行き方向の側板嵌合溝を構成する。
【００３４】
底板２７には、図６及び図７に示すようにカム開口部３２の後方縁の中央部に位置して奥行き方向のガイド溝３５が連設されている。ガイド溝３５は、後述するように底板２７に対して背板２９を奥行き方向に調整自在に組み合わすようにする。
【００３５】
側板２８は、筐体２の天井面と底板２７の主面との間隔とほぼ等しい高さと商品収納部７の奥行き寸法とほぼ等しい奥行き寸法を有し、かつ天井仕切りリブ３３と底板仕切りリブ３４の各リブ間に構成される側板嵌合溝の溝幅とほぼ等しい厚み寸法を有する板状部材からなる。側板２８は、商品収納部７内にその開放された前面側から、商品１７の外形に合わせて選択した側板嵌合溝に対してその上下縁を嵌合して内方へと押し込むことにより商品収納空間部３１の幅寸法を規定して組み合わされる。側板２８は、自動販売機１が厚みを異にする商品１７を販売する場合に、側板嵌合溝を選択して組み合わせることにより異なる商品１７に対する互換性が簡易な操作で図られるようにする。なお、側板２８は、左右いずれか一方の側板２８Ｌ、２８Ｒを底板２７に固定し、他方を商品１７の外形に合わせて対向間隔を調整するようにして筐体２と底板２７に組み合わされるようにしてもよい。
【００３６】
側板２８には、図５乃至図７に示すように、それぞれに前方側で底板２７に組み合わせた状態でカム開口部３２と対応位置して後述する重り部材３６を組み付ける高さ方向の重り組付溝３７Ｌ、３７Ｒ（以下、重り組付溝３７と総称する。）が設けられている。側板２８は、各重り組付溝３７が、底板２７に組み合わせた状態で相対向するように設け、商品収納部７内に積層状態で収納した商品１７を底板２７上に押し付ける重り部材３６を高さ方向に移動自在に組み合わせる。重り組付溝３７は、商品収納空間部３１内に商品１７が例えば残り１個となった際にも重り部材３６がこの商品１７を底板２７上に押し付けるようにすることが可能な長さを以って側板２８に形成される。
【００３７】
側板２８には、重り組付溝３７に、それぞれ上端部位において前方かつ下方へと屈折して重り部材３６を仮保持させる仮置き溝部３７Ａが連続して形成される。重り組付溝３７は、例えば商品収納部７内に商品１７を収納する際に商品収納部７の上方へと重り部材３６が引き上げられるが、図７に示すように支軸４３を仮置き溝部３７Ａへと移動させて重り部材３６を引き上げた状態で仮保持することにより作業の邪魔にならないようにする。重り組付溝３７は、重り部材３６の着脱操作を不要とするとともにストッパ構造を不要とし、構造の簡易化と商品１７の収納操作が効率よく行われるようにする。
【００３８】
背板２９は、上述したように底板２７に対して対向間隔を調整される側板２８Ｌ、２８Ｒの最大間隔よりもやや大きな幅を有し、これら側板２８とほぼ等しい高さを有する板状の部材からなる。背板２９は、その下端部に上述した底板２７のカム開口部３２とほぼ同幅でありかつ凹部３２Ａの深さとほぼ同厚の水平方向の取付調整板３８が設けられることにより、全体としてＬ字状とされる。取付調整板３８には、底面にガイド溝３５を貫通され先端部位に外周ネジを形成した嵌合軸３９が設けられ、この嵌合軸３９にやや大径のツマミ４０をねじ込まれるようにする。
【００３９】
背板２９は、筐体２の背面と対向させ、取付調整板３８を凹部３２Ａに嵌合させるとともに嵌合軸３９をガイド溝３５に貫通させて底板２７の背面側に立設した状態で組み合わされる。背板２９は、図７矢印で示すように商品１７の外形に合わせて凹部３２Ａ内において取付調整板３８を奥行き方向に移動させることにより、商品収納空間部３１の奥行き寸法を規定する。背板２９は、設定位置において底板２７の底面側から嵌合軸３９の先端にツマミ４０をねじ込むことにより、凹部３２Ａ内において取付調整板３８とツマミ４０とで底板２７を挟み込んで位置決め固定される。
【００４０】
取付調整板３８は、凹部３２Ａに嵌合されることにより、底板２７の主面と略同一面を構成して商品１７が積層されるようにするとともに商品１７が引っ掛からずに底板２７上を送り出されるようにする。取付調整板３８は、自動販売機１が長さを異にする商品１７を販売する場合に、ツマミ４０を緩めて凹部３２Ａに沿って奥行き方向に調整移動されることにより背板２９を奥行き方向に一体に移動させ、上述したように商品１７の外形に合わせて商品収納空間部３１の奥行き寸法が設定されるようにする。
【００４１】
取付調整板３８は、設定位置においてツマミ４０が再び嵌合軸３９にねじ込まれて固定されることにより、異なる商品１７に対する互換性が簡易な操作により図られるようにする。なお、背板２９は、取付調整板３８と底板２７との間に適宜のクリック構造、例えば取付調整板３８の底面に形成したクリック凸部と凹部３２Ａ側に形成した複数のクリック凹部からなるクリック構造により、移動位置を選択して調整されるようにしてもよい。
【００４２】
送出開口調整板３０は、底板２７の前端部に、高さ位置を調整されて固定される。送出開口調整板３０は、底板２７の立上り壁２７Ｌ、２７Ｒの対向間隔よりもやや大きな横長矩形の板部材からなり、図３及び図５に示すように両端部の近傍位置に下方に開放する長孔からなる取付孔３０Ｌ、３０Ｒが形成されている。開口調整板３０は、図５に示すように底板２７に対して、取付孔３０Ｌ、３０Ｒに貫通させた取付ネジ４１を立上り壁２７Ｌ、２７Ｒの前方縁に形成した取付孔２７Ａにねじ込むことにより固定され、その下端縁と底板２７の主面との間に商品取出口１６と対向して最下段商品１７Ａを送り出す商品送出開口部４２を構成する。
【００４３】
開口調整板３０は、送出し開口部４２が商品１７の１個分の厚みよりも大きくかつ２個分の厚みよりも小さい高さとなるように、図７矢印で示すように高さ方向の位置を調整されて底板２７の立上り壁２７Ｌ、２７Ｒに固定される。開口調整板３０は、後述するように最下段商品１７Ａの送出操作が行われる際に、上層の商品１７を係止して最下段商品１７Ａのみが送出し開口部４２を介して商品取出口１６へと送り出されるようにする。開口調整板３０は、自動販売機１が厚みを異にする商品１７を販売する場合に、取付ネジ４１を緩めて底板２７に対する高さ位置を調整され、取付ネジ４１を再び締め付ける。開口調整板３０は、簡易な操作により上述した商品１７の１個送出機能が簡易に設定されることで異なる商品１７に対する互換性が図られるようにする。
【００４４】
重り部材３６は、鉄等の重量のあるブロック体からなり、図２及び図５に示すようにその両側面に支軸４３Ｌ、４３Ｒが突出して設けられる。重り部材３６は、支軸４３Ｌ、４３Ｒが全体として側板２８の最大対向間隔よりもやや長軸とされ、側板２８に形成した重り組付溝３７の溝幅とほぼ同等の外径を有している。重り部材３６は、支軸４３Ｌ、４３Ｒが相対する重り組付溝３７Ｌ、３７Ｒに貫通されて側板２８Ｌ、２８Ｒ間に支架されることにより、商品収納空間部３１内に組み合わされる。
【００４５】
重り部材３６は、支軸４３Ｌ、４３Ｒを嵌合した重り組付溝３７Ｌ、３７Ｒ内に沿って上方へと移動させるとともに、図７に示すようにその上端部において仮置き溝部３７Ａへと移動させることにより、商品収納空間部３１内において上方に引き上げられるとともにこの位置において仮保持される。重り部材３６は、ストッパ機構等を不要として商品収納空間部３１の上方位置に保持された状態で、上述したように商品収納空間部３１への商品１７の収納作業が行われるようにする。重り部材３６は、商品収納空間部３１内に商品１７が収納されると支軸４３Ｌ、４３Ｒが仮置き溝部３７Ａから重り組付溝３７Ｌ、３７Ｒへと移動されることで、商品収納空間部３１内に収納した商品１７を底板２７上に押し付ける。重り部材３６は、後述する商品送出カム部材２５による商品送出操作が確実に行われるようにする。
【００４６】
商品収納部７は、上述した構成各部材により構成される商品収納空間部３１を、商品１７の外形に応じて所定の大きさに設定する。商品収納部７は、天井仕切りリブ３３と底板仕切りリブ３４の各リブ間に構成される複数の側板嵌合溝を選択して、底板２７に対して側板２８を組み合わせることにより商品収納空間部３１の横幅を規定する。商品収納部７は、取付調整板３８を凹部３２Ａ内において所定位置へと移動させてツマミ４０をねじ込んで凹部３２Ａ内において取付調整板３８とツマミ４０とで底板２７を挟み込んで位置決め固定することにより、底板２７に対する背板２９の奥行き位置を調整して組み合わすことにより商品収納空間部３１の横幅を規定する。商品収納部７は、底板２７に対して開口調整板３０を調整して固定することにより、商品収納空間部３１から商品１７を送り出す送出し開口部４２の高さを規定する。
【００４７】
商品収納部７は、支軸４３Ｌ、４３Ｒを重り組付溝３７内で上方へと移動させて仮置き溝部３７Ａへと移動させることにより、重り部材３６を商品収納空間部３１内において上方に引き上げた状態で仮保持させる。商品収納部７は、この状態で開放された前面部から商品収納空間部３１内に商品１７を順次装填することにより、これら商品１７を厚み方向に積層して収納する。商品収納部７は、支軸４３Ｌ、４３Ｒを仮置き溝部３７Ａから重り組付溝３７に導くことにより重り部材３６を商品収納空間部３１内に積層された商品１７上に載せ、商品１７を底板２７の主面上に押し付ける。
【００４８】
商品収納部７は、硬貨投入後に行われる顧客の操作ダイヤル１４の回動操作によりカム開口部３２を介して商品収納空間部３１内に進入する商品送出カム部材２５によって、商品収納空間部３１から最下段商品１７Ａの送出動作が行われる。商品収納部７は、開口調整板３０により高さを規定した送出し開口部４２から最下段商品１７Ａのみが送り出されるようにし、この送出し開口部４２を介して商品取出口１６へと送り出されるようにする。商品収納部７は、顧客により商品取出口１６から最下段商品１７Ａの取出しが行われると、商品収納空間部３１内において商品１７の下方への移動が行われて２段目の商品１７が最下段商品１７Ａとなる。
【００４９】
以上のように構成される自動販売機１においては、錠前１３にキーを差し込んで解錠を行い、筐体２に対して前扉３が開かれる。自動販売機１においては、仕切り板２Ａにより区割りされた筐体２の右側上部空間に硬貨選別ユニット５を組み合わせるとともに、その下方空間に商品取出操作機構ユニット６を組み合わせる。自動販売機１においては、商品収納部７の下方空間に金庫ユニット９を組み合わせる。自動販売機１においては、組み合わせた金庫ユニット９の前方軸受けブラケット片２６Ｂと商品収納部７側の後方軸受けブラケット片２６Ａとにより軸受け部２６を構成して商品送出機構８の駆動軸２４の一端側を回転自在に支持する。
【００５０】
自動販売機１においては、商品収納部７において商品１７の外形仕様に応じて底板２７に対して側板２８及び背板２９の組み合わせ位置の調整操作が行われて所定の大きさの商品収納空間部３１が構成されるようにする。自動販売機１においては、重り部材３６が重り組付溝３７に沿って上方へと引き上げられて仮置き溝部３７Ａにより保持される。自動販売機１においては、底板２７に対して送出開口調整板３０の組み合わせ位置の調整操作が行われて所定の商品送出開口部４２が構成されるようにする。
【００５１】
自動販売機１においては、商品収納部７の前方側から商品収納空間部３１内に商品１７を順次装填して厚み方向に積層した状態で収納する。自動販売機１においては、重り部材３６を上方の仮置き溝部３７Ａから重り組付溝３７へと移動して、積層された商品１７を底板２７の主面上に押し付けるようにする。自動販売機１においては、前扉３に設けた料金表示ドラム２１を設定回動して、商品１７の対価に合わせて料金表示部１０から所定の金額表示が行われるようにする。
【００５２】
自動販売機１においては、筐体２に対して前扉３を閉じた状態で、筐体２側に設けた部位と前扉３側に設けた部位とが相対して位置する。自動販売機１においては、硬貨投入口１１がスロット部材２３と対向して投入された硬貨を硬貨選別ユニット５へと導くようにする。自動販売機１においては、硬貨選別ユニット５の硬貨返却操作レバー１２が返却レバーガイド部３Ｅを介して外方へと臨まされる。自動販売機１においては、商品取出操作機構ユニット６の操作ダイヤル１４が筒状ガイド部３Ａを介して外方へと臨まされる。自動販売機１においては、硬貨選別ユニット５の返却軌道５Ａが返却口ガイド部３Ｆを介して硬貨返却口１５と連通する。
【００５３】
自動販売機１においては、商品収納空間部３１の開放された前面側に商品押さえリブ部３Ｃが延在して商品１７が保持されるようにする。自動販売機１においては、商品取出口部３Ｂが商品取出口１６を底板２７の主面と略同一面を以って対向し、送出開口調整板３０との間に構成した商品送出開口部４２と連通する。自動販売機１においては、金庫ユニット９の前面に金庫ユニット押さえリブ部３Ｄが突き当たって金庫ユニット９を位置決め保持するとともに、正規のセット状態の確認と駆動軸２４の軸受け部２６が保持されるようにする。自動販売機１においては、筐体２に対して前扉３を閉じて錠前１３にキーを差し込んで施錠を行うことにより、商品１７の販売可能な状態となる。
【００５４】
自動販売機１においては、顧客により硬貨投入口１１から投入された硬貨をスロット部材２３を介して硬貨選別ユニット５へと導き、所定基準による選別を行って正規硬貨のみを商品取出操作機構ユニット６へと供給して所定枚数（１００円硬貨２枚）の蓄積が行われるようにする。自動販売機１においては、商品取出操作機構ユニット６において蓄積硬貨をキーとして顧客による操作ダイヤル１４の１回転分の回動操作を可能な状態とする。自動販売機１においては、顧客が操作ダイヤル１４を回動操作することにより、商品送出機構８が動作されて商品収納部７から最下段商品１７Ａの送り出しが行われる。
【００５５】
自動販売機１においては、操作ダイヤル１４の回転が駆動軸２４と一体の商品送出カム部材２５に伝達され、この商品送出カム部材２５が大径部位２５Ａを底板２７のカム開口部３２から商品収納空間部３１内へと進入させる。自動販売機１においては、商品送出カム部材２５により、商品収納空間部３１内において重り部材３６によって底板２７の主面上に押し付けられた商品１７を送出開口調整板３０との間に構成した商品送出開口部４２から送り出す動作が行われる。自動販売機１においては、上段の商品１７が送出開口調整板３０と前扉３の商品押さえリブ部３Ｃとにより前方側への移動を規制され、最下段商品１７Ａのみが商品送出開口部４２から商品取出口１６へと送り出される。
【００５６】
自動販売機１においては、送り出された最下段商品１７Ａがその前方部位を商品取出口１６から外方へと突出した状態で商品送出カム部材２５の大径部位２５Ａがカム開口部３２から退出することで最下段商品１７Ａの送出動作が終了する。自動販売機１においては、顧客が最下段商品１７Ａの商品取出口１６から突出した先端部を把持して引き出すことにより、当該最下段商品１７Ａの販売が行われる。
【００５７】
本発明は、上述した実施の形態として示した自動販売機１に限定されず、特許請求の範囲に記載した各構成についてその技術範囲を逸脱しない範囲で適宜変更、展開されることは勿論である。
【図面の簡単な説明】
【００５８】
【図１】実施の形態として示す自動販売機の正面図である。
【図２】前扉を取り外して内部構造を示した自動販売機の正面図である。
【図３】前扉を開いて内部構造を示した自動販売機の斜視図である。
【図４】自動販売機で販売される薄物商品の斜視図である。
【図５】商品収納部の構成を示す要部分解斜視図である。
【図６】商品の送り動作の説明図である。
【図７】商品収納部の調整操作の説明図である。
【図８】商品送出し機構の説明図である。
【符号の説明】
【００５９】
１  薄物商品自動販売機、２  筐体、３  前扉、４  ヒンジ機構、５  硬貨選別ユニット、６  商品取出操作機構ユニット、７  商品収納部、８  商品送出機構、９  金庫ユニット、１１  硬貨投入口、１４  商品取出操作ダイヤル、１６  商品取出口、１７  商品、１７Ａ  最下段商品、１８  内容物、１９  個装体、２４  駆動軸、２５  商品送出カム部材、２６  軸受け部、２６Ａ  後方軸受ブラケット片、２６Ｂ  前方軸受ブラケット片、２７  底板、２８  側板、２９  背板、３０  送出開口調整板、３１  商品収納空間部、３２  カム開口部、３３  仕切りリブ、３４  仕切りリブ、３５  ガイド溝、３６  重り部材、３７  重り組付溝、３７Ａ  仮置き溝部、３８  取付調整板、４２  商品送出開口部
【図１】
2009199555.tif 000003
【図２】
2009199555.tif 000004
【図３】
2009199555.tif 000005
【図４】
2009199555.tif 000006
【図５】
2009199555.tif 000007
【図６】
2009199555.tif 000008
【図７】
2009199555.tif 000009
【図８】
2009199555.tif 000010